(57)【要約】【課題】動力を使わない簡単な構成でありながら、必要量を連続して採取できるような液体採取の手段を提案する。【解決手段】内部に貫通孔を有する円錐状のチューブ差込体１０と、このチューブ差込体１０のチューブ内側の端面に設けられた弁座１１に載置されて貫通孔１２を塞ぐ金属製球体２０とからなり、そのチューブ差込体１０をチューブの一端に差し込み且つ弁座１１に金属製球体２０を載置して弁を形成するようにして使用する。この液体採取具は、チューブ差込体１０を差し込んだチューブの一端を液体内に垂下して上下させると、その上下動にともない貫通孔１２内に流入する液体の圧力により金属製球体２０が上下動して弁の開閉が行われ、これにより、液面よりも上に位置したチューブの他端から液体をくみ出せる。すなわち、液体内に垂らしたチューブを上下に勢いよく振るだけで液体が汲み出される。【選択図】　図１
2004101210.tif 000002
【特許請求の範囲】
【請求項１】
内部に貫通孔を有する円筒又は円錐状のチューブ差込体と、このチューブ差込体のチューブ内側の端面に設けられた弁座に載置されて前記貫通孔を塞ぐ金属製球体と、からなり、前記チューブ差込体をチューブの一端に差し込み且つ前記弁座に前記金属製球体を載置して弁を形成し、そして、当該チューブの一端を液体内に垂下して上下させ、その上下動にともない前記貫通孔内に流入する液体の圧力により前記金属製球体を上下動させて前記弁の開閉を行い、これにより、液面よりも上に位置した前記チューブの他端から液体をくみ出せるようにした液体採取具。
【請求項２】
チューブ差込体が円錐状で且つその外周面にねじ切りしてある請求項１記載の液体採取具。
【発明の詳細な説明】
【０００１】
【発明の属する技術分野】
本発明は、特に地下水や井戸水の採水に適した液体採取装置に関する。
【０００２】
【従来の技術】
現在、ボーリングによる地下水調査や井戸水の水質調査で採水を行うにあたっては、たとえば特許文献１、特許文献２に示されるような真空ポンプあるいは揚水ポンプを利用して水をくみ上げる方法が主流である。しかし、３〜５メートルほどの深さからの少量サンプリングにもポンプを使用していたのでは、装置も大がかりでコスト的にも不利である。
【０００３】
一方、ポンプなどの動力を使用せずに液体試料の採取を行う簡単な手段として、特許文献３や特許文献４に開示のような手動の採取装置が提案されている。しかし、これらの採取装置では、一度に採取できる量が限られており、ある程度の量を連続して採取することができないという不利な点がある。
【０００４】
【特許文献１】
特開平７−２２５１７８号公報
【特許文献２】
特開平１０−３１８８８９号公報
【特許文献３】
特開平８−２２００８４号公報
【特許文献４】
特開平９−２２９８３０号公報
【０００５】
【発明が解決しようとする課題】
これらの従来技術に着目して本発明は、動力を使わない簡単な構成でありながら、必要量を連続して採取できるような液体採取の手段を提案するものである。
【０００６】
【課題を解決するための手段】
本発明によれば、内部に貫通孔を有する円筒又は円錐状のチューブ差込体と、このチューブ差込体のチューブ内側の端面に設けられた弁座に載置されて貫通孔を塞ぐ金属製球体と、からなり、そのチューブ差込体をチューブの一端に差し込み且つ弁座に金属製球体を載置して弁を形成するようにして使用する液体採取具が提供される。この液体採取具は、チューブ差込体を差し込んだチューブの一端を採取対象の液体内に垂下して上下させると、その上下動にともない貫通孔内に流入する液体の圧力により金属製球体が上下動して弁の開閉が行われ、これにより、液面よりも上に位置したチューブの他端から液体をくみ出すことができる。すなわち、液体内に一端を垂らしたチューブを手に持って上下に勢いよく振るだけで、その他端から連続して液体が汲み出され、上下動させ続ければ連続して必要量を採取することができる。
【０００７】
このような液体採取具のチューブ差込体は、円錐状とし且つその外周面にねじ切りをしておくと、チューブを差し込みやすく且つ抜けにくくすることができ、好ましい。
【０００８】
【発明の実施の形態】
図１に、本発明の液体採取具の一実施形態を斜視図で示してある。
【０００９】
この例の液体採取具は、金属製のチューブ差込体１０と、このチューブ差込体１０の端面に設けた弁座１１に載置される金属製球体２０と、から構成されている。これらチューブ差込体１０及び球体２０は、錆びにくい材質、たとえばステンレス製とされる。
【００１０】
チューブ差込体１０は、円錐状の外形をもち、その円錐頭頂部の端面（すなわち、チューブ内に位置することになる端面）に弁座１１が凹設されている。この弁座１１は内部の貫通孔１２に連通しており、したがって球体２０が弁座１１に載置されることで、貫通孔１２が塞がれることになる。このチューブ差込体１０の外周面１３にはねじ切りが施してあり、これにより、チューブ差込体１０をねじるようにしてチューブへ差し込めば、簡単に差し込め且つ抜けにくくなるようにしてある。一方、チューブ差込体１０の円錐底部は六角ナット状の把持部１４とされ、チューブ差込体１０をねじ込みやすいように工夫してある。その把持部１４の端面に貫通孔１２が開口している。
【００１１】
金属製の球体２０は、弁座１１に載置されて貫通孔１２を塞ぐ直径をもち、比重が水よりも大きいことが重要である。この球体２０の比重が水と同程度であると、逆止弁としての役割が半減してしまうので、好ましくない。したがって、球体２０は金属製とするのが最適である。
【００１２】
図２に、液体採取時の状態を示し説明する。図２ａが上昇時、図２ｂが下降時の状態を示す。
【００１３】
弁座１１に球体２０を載置して図１のチューブ差込体１０の外周面１３をチューブＴの一端部へねじ込むことで、まずチューブ差込体１０をチューブへ差し込む。そして、そのチューブ差込体１０を装着した一端部を、たとえばボーリング孔や井戸の中へ垂下させ、地下水の中へ沈める。このとき、チューブ差込体１０が、水中にチューブＴを垂下させるときの重りの役割もする。
【００１４】
チューブＴの一端部を水中に沈めたら、該チューブＴの他端部（図示略）を手に持って上下に勢いよく振る。すると、それによるチューブＴの上昇時には、図２ａに示すように、チューブＴ内へ入った水により、球体２０を押し下げる圧力Ｗｕが働き、球体２０が弁座１１へ押し付けられて貫通孔１２が閉じられる。つまり、球体２０が逆止弁となって、貫通孔１２からの水の流出を防ぐ。
【００１５】
逆にチューブＴの下降時には、図２ｂに示すように、貫通孔１２を通って流入する水により、球体２０を押し上げる圧力Ｗｄが働き、球体２０が弁座１１から離れて貫通孔１２が開通する。これにより、チューブＴを下降させた分だけの量の水がチューブＴ内へ流入する。
【００１６】
つまり、チューブＴを上下動させると、下降時にチューブＴ内へ流入した水は、上昇時に球体２０が逆止弁となって流出することができないため、下降回数分の水が徐々にチューブＴ内へ溜っていき、最終的には、水面よりも上に位置したチューブＴの他端からあふれ出ることになる。この作用により、５ｍ以上の深度からでも地下水を汲み上げることができる。
【００１７】
【発明の効果】
本発明によれば、チューブを持って上下に振るだけという非常に簡単な操作で必要量の液体を連続して採取可能であり、また、チューブ差込体と金属製球体という簡素な構成の液体採取具が提供される。
【図面の簡単な説明】
【図１】本発明に係る液体採取具の一例を示した斜視図。
【図２】図１の液体採取具の動作状態を説明した断面図。
【符号の説明】
１０　チューブ差込体
１１　弁座
１２　貫通孔
１３　外周面
１４　把持部
２０　球体
【図１】
2004101210.tif 000003
【図２】
2004101210.tif 000004